(57)【特許請求の範囲】
【請求項１】
上枠と下枠及び左右の縦枠を方形状に枠組みしてなる枠体内に内障子と外障子を引き違い状に納め、前記枠体は、前記内障子と外障子を納める金属製の室外枠部材と、前記枠体の室内側面を構成する金属製の室内枠部材とを、樹脂製のブリッジ材で連結してなり、前記内障子と外障子は上框と下框と枠側縦框及び召合わせ框を方形状に框組みしてなる框体内にパネル体を納めてなるサッシにおいて、
前記室内枠部材は室内側面の見付方向内側端部が前記框体の見付方向内側端部と略同位置となるように形成され、
前記外障子が配置される側の縦枠は、前記外障子を構成する枠側縦框の室内側面と対向する外障子対向フィンを内周面に備え、該外障子対向フィンと前記室内側面との間の縦枠内周部に前記ブリッジ材が配置され、前記外障子対向フィンと前記室内側面及び前記縦枠内周部とで凹部が形成され、
前記外障子の枠側縦框は室内側面の見付方向内側端部から室内側に延出される室内延出部を備え、該室内延出部は前記縦枠を構成する室内枠部材の室内側面の見付方向内側端部近傍まで伸びて、前記枠体の室内側に配置される額縁材の内周面と略面一状とされると共に、前記外障子を閉じた状態で前記室内延出部は、前記ブリッジ材が配置される領域を含む前記凹部を覆うことを特徴とするサッシ。
【請求項２】
前記室内枠部材は、室内側面の見付方向内側端部から室内側に延出されるアングル部を有し、前記室内延出部は前記アングル部と略面一状であることを特徴とする請求項１記載のサッシ。
【請求項３】
前記室内延出部は前記外障子の枠側縦框と別体として形成され、該枠側縦框の室内側面に対して固定されることを特徴とする請求項１または２記載のサッシ。
【発明の詳細な説明】
【技術分野】
【０００１】
本発明は、建物開口部に設置されるサッシに関し、特に金属製の室外枠部材と室内枠部材とを樹脂製のブリッジ材で連結してなるサッシに関する。
【背景技術】
【０００２】
従来、建物開口部に設けられるサッシの断熱性を高めるため、金属製の室外枠部材と室内枠部材とを、樹脂製のブリッジ材で連結することが知られている。金属製の部材を樹脂製のブリッジ材で室内外に連結することにより、室外側に露出する室外枠部材と室内側に露出する室内枠部材とを熱的に絶縁することができ、断熱性を高くすることができる。このようなブリッジ構造により断熱性を高くしたサッシとしては、例えば特許文献１に挙げるようなものがある。
【先行技術文献】
【特許文献】
【０００３】
【特許文献１】特開２００９−２９３３００号公報
【発明の概要】
【発明が解決しようとする課題】
【０００４】
枠体内に内障子と外障子を引き違い状に納めてなるサッシにおいて、意匠性向上のため、障子の框体を枠体で隠した構造としたものも知られている。その構造は、枠体の室内側面を見付方向内側に延出し、枠体と框体の見付方向内側端部が略同位置となるようにしてなるもので、これによって、室内側から見たときに、枠体によって框体が隠れることとなる。
【０００５】
しかし、かかる隠し框の構造とした場合に、枠体の室内側面と外障子との間は距離が離れているため、外障子が配置される側の縦枠の内周面には、大きな凹部が形成されることとなり、これが室内側から見えるため、意匠性を損ねることとなっていた。また、ブリッジ材をこの領域に配置した場合に、ブリッジ材も室内側に露出するので、このことも意匠性を損ねる原因となっていた。
【０００６】
本発明は前記課題を鑑みてなされたものであり、枠体に対し内外引き違い状に障子を納めた際における外障子の室内側内周部の意匠性を向上させたサッシを提供することを目的とする。
【課題を解決するための手段】
【０００７】
前記課題を解決するため、本発明に係るサッシは、上枠と下枠及び左右の縦枠を方形状に枠組みしてなる枠体内に内障子と外障子を引き違い状に納め、前記枠体は、前記内障子と外障子を納める金属製の室外枠部材と、前記枠体の室内側面を構成する金属製の室内枠部材とを、樹脂製のブリッジ材で連結してなり、前記内障子と外障子は上框と下框と枠側縦框及び召合わせ框を方形状に框組みしてなる框体内にパネル体を納めてなるサッシにおいて、
前記室内枠部材は室内側面の見付方向内側端部が前記框体の見付方向内側端部と略同位置となるように形成され、
前記外障子が配置される側の縦枠は、前記外障子を構成する枠側縦框の室内側面と対向する外障子対向フィンを内周面に備え、該外障子対向フィンと前記室内側面との間の縦枠内周部に前記ブリッジ材が配置され、前記外障子対向フィンと前記室内側面及び前記縦枠内周部とで凹部が形成され、
前記外障子の枠側縦框は室内側面の見付方向内側端部から室内側に延出される室内延出部を備え、該室内延出部は前記縦枠を構成する室内枠部材の室内側面の見付方向内側端部近傍まで伸びて、前記枠体の室内側に配置される額縁材の内周面と略面一状とされると共に、前記外障子を閉じた状態で前記室内延出部は、前記ブリッジ材が配置される領域を含む前記凹部を覆うことを特徴として構成されている。
【０００９】
さらに、本発明に係るサッシは、前記室内枠部材は、室内側面の見付方向内側端部から室内側に延出されるアングル部を有し、前記室内延出部は前記アングル部と略面一状であることを特徴として構成されている。
【００１０】
さらにまた、本発明に係るサッシは、前記室内延出部は前記外障子の枠側縦框と別体として形成され、該枠側縦框の室内側面に対して固定されることを特徴として構成されている。
【発明の効果】
【００１１】
本発明に係るサッシによれば、外障子の枠側縦框は室内側面の見付方向内側端部から室内側に延出される室内延出部を備え、室内延出部は縦枠を構成する室内枠部材の室内側面の見付方向内側端部近傍まで伸びて、額縁材の内周面と略面一状とされることにより、隠し框の構成を有するサッシにおいて、外障子の室内面側から額縁材に渡って室内外方向における内周面の連続性を奏し、意匠性の向上を図ることができる。
【００１２】
また、本発明に係るサッシによれば、外障子を閉じた状態で室内延出部はブリッジ材が配置される領域を覆うことにより、室内延出部によりブリッジ材が室内側に露出しないので、意匠性の更なる向上を図ることができる。
【００１３】
さらに、本発明に係るサッシによれば、室内延出部はアングル部と略面一状であることにより、アングル部を含む外障子の室内面側から額縁材に渡る内周面の連続的な意匠性を、より一層強くすることができる。
【００１４】
さらにまた、本発明に係るサッシによれば、室内延出部は外障子の枠側縦框と別体として形成され、枠側縦框の室内側面に対して固定されることにより、外障子を枠体に建て込んだ後に、室内延出部を取付けるようにすれば、外障子を枠体に建て込む際に室内側に大きく延出される室内延出部が邪魔にならず、サッシの施工を円滑に行うことができる。
【図面の簡単な説明】
【００１５】
【図１】本実施形態におけるサッシの縦断面図である。
【図２】本実施形態におけるサッシの横断面図である。
【図３】縦枠を内周面側から見た側面図であって、下枠が配置される付近の拡大図である。
【図４】縦枠の固定面部付近拡大図である。
【図５】図２のうち外障子が配置される側の縦枠付近拡大図である。
【図６】室内延出部を枠側縦框と別体とした場合の枠側縦框の断面図である。
【発明を実施するための形態】
【００１６】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態のサッシは、方形状に枠組みしてなる枠体１内に内障子２と外障子３を引き違い状に納めてなる引き違いサッシである。内障子２と外障子３は、いずれも方形状の框体４内にガラス板からなるパネル体５を納めて構成されている。
【００１７】
枠体１は、上枠１０と下枠１１及び左右の縦枠１２、１２からなり、これらの部材で上下左右の辺を構成している。また、枠体１を構成する上枠１０と下枠１１及び縦枠１２は、それぞれいずれも金属製の室内枠部材２１と室外枠部材２０とを、樹脂製のブリッジ材２２で連結して構成されている。これにより、室外側に露出する室外枠部材２０と室内側に露出する室内枠部材２１との間を断熱し、サッシの断熱性能を高くすることができる。
【００１８】
内障子２と外障子３を構成する框体４は、上框３０と下框３１、枠側縦框３２及び召合わせ框３３を方形状に框組みしてなるものである。図１に示すように、上框３０の見付方向内側端部位置は、内障子２と外障子３で同じ位置となるように形成されている。下框３１についても、見付方向内側端部位置が、内障子２と外障子３で同じ位置となるように形成されている。
【００１９】
上框３０と下框３１、枠側縦框３２及び召合わせ框３３は、いずれも室外側面に室外保持部３５を、室内側面に室内保持部３６を、それぞれ備え、室外保持部３５と室内保持部３６により、パネル体２の周縁部を室内外から保持する。これら室外保持部３５と室内保持部３６の各先端部が、框体４の見付方向内側端部位置となる。
【００２０】
上枠１０の室外枠部材２０には、外障子３を案内する外レール１０ａが形成されている。また、外レール１０ａの室内側であって上枠１０内周面の中央位置には、中央フィン１０ｂが形成されている。中央フィン１０ｂは先端部が外障子３の室内側面と対向しており、この先端部には気密材１３が設けられて、外障子３に当接することで気密ラインを構成する。
【００２１】
上枠１０の中央フィン１０ｂより室内側には、凹状案内部１０ｃが形成される。内障子２の上辺は、凹状案内部１０ｃにより長手方向に案内される。下枠１１の室外枠部材２０には、内レール１１ａと外レール１１ｂが形成されており、それぞれ内障子２と外障子３を載置させ、長手方向に案内可能としている。
【００２２】
図２に示すように、縦枠１２は左右で内周面の構成が異なっている。外障子３が配置される左側の縦枠１２は、内周面の内外中央位置に外障子３の室内面と対向する外障子対向フィン１２ａを有し、さらに内周面の外障子対向フィン１２ａより室外側に外障子３端部の凹状領域に飲み込まれる外障子飲込フィン１２ｂを有している。外障子対向フィン１２ａの先端部には、気密材１３が設けられ、これが外障子３に当接して気密ラインを構成する。
【００２３】
内障子２が配置される右側の縦枠１２は、内周面の内外中央位置に内障子２の室外面と対向する内障子対向フィン１２ｃを有し、さらに内周面の内障子対向フィン１２ｃより室内側に内障子２端部の凹状領域に飲み込まれる内障子飲込フィン１２ｄを有している。内障子対向フィン１２ｃの先端部には、気密材１３が設けられ、これが内障子２に当接して気密ラインを構成する。
【００２４】
このように、枠体１を構成する室外枠部材２０は、内障子２と外障子３を納める構成を有し、室内枠部材２１は、枠体１の室内側面を構成する。
【００２５】
室内枠部材２１は、四周に渡って室内側面２４を備え、この室内側面２４は、見付方向内側端部が框体４の見付方向内側端部と略同位置となるように形成されている。すなわち、室内枠部材２１の室内側面２４は、内障子２と外障子３の上框３０と下框３１及び枠側縦框３２の室内側面を室内側から覆っており、各障子の框体４が室内側から見えにくい、いわゆる隠し框の構造を有するように構成されている。
【００２６】
また、内障子２の召合わせ框３３における見付方向内側端部位置と外障子３の召合わせ框３３の外周面とが、室内外方向に関し同一面内に並ぶように配置されており、外障子３の召合わせ框３３における見付方向内側端部位置と内障子２の召合わせ框３３の外周面とが、室内外方向に関し同一面内に並ぶように配置されている。
【００２７】
室内枠部材２１の室内側面２４には、見付方向内側端部から室内側に向かって伸びるアングル部２５が固定される。アングル部２５は、枠体１の室内側に四周に渡って設けられる額縁材６の表面に当接しネジ止め固定される。アングル部２５の室内側に延出される面及び額縁材６の内周面は、框体４の見付方向内側端部と略同位置に配置されることとなり、サッシのパネル体５を通した内周面が面一状となって、意匠性を良好にすることができる。
【００２８】
室内枠部材２１と室外枠部材２０を連結するブリッジ材２２は、枠体１の四周各辺の長手方向に沿ってそれぞれ見付方向内外に２本ずつが離隔して配設されており、それぞれの室内端部が室内枠部材２１に、室外端部が室外枠部材２０に、嵌入されて、両者を連結した状態としている。
【００２９】
室内枠部材２１と室外枠部材２０の互いに対向する位置には、それぞれブリッジ材２２を嵌合させる凹部２３ａを備えた固定面部２３、２３が形成されている。室内枠部材２１の固定面部２３は、室外側に向かう面に２つの凹部２３ａが並設配置されてなり、室外枠部材２０の固定面部２３は、室内側に向かう面に２つの凹部２３ａが並設配置されてなる。
【００３０】
固定面部２３は、凹部２３ａにブリッジ材２２の端部を納めた状態で、内外周方向に押圧することで、ブリッジ材２２をカシメ固定する。このとき、固定面部２３の表面には凸形状が残るため、縦枠１２と上枠１０や下枠１１との連結部分でのシールを行いにくくなる。図３には、縦枠１２を内周面側から見た側面図であって、下枠１１が配置される付近の拡大図を示している。
【００３１】
縦枠１２と下枠１１の連結は、縦枠１２の側面に下枠１１の端面が突き当てられ、両者がビス止め固定されることによってなされる。図３においては、下枠１１は破線で表されており、また、ハッチングされているのは、下枠１１の端面領域に設けられるシール材の充填領域である。このように、シール材は下枠１１の端面全体にわたって充填されるが、前述のように、縦枠１２の固定面部２３の部分には、凸形状２３ａがあるため、シール材を充填しにくくなっている。このため、縦枠１２の固定面部２３のうち下枠１１が突き当てられる部分を予め削っておく。
【００３２】
図４には、縦枠１２の固定面部２３付近拡大図を示している。この図に示すように、縦枠１２の固定面部２３のうち下枠１１が突き当てられる領域につき、ドリル４０により穴を開け、固定面部２３の凸形状２３ａを除去する。これにより、下枠１１との連結部分においてシール材を充填しやすくすることができる。
【００３３】
図５には、図２のうち外障子３が配置される側の縦枠１２付近拡大図を示している。この図に示すように、外障子３を構成する枠側縦框３２は、室内側面に形成される室内保持部３６の見付方向内側端部から室内側に延出される室内延出部３４を備えている。室内延出部３４は、枠側縦框３２から縦枠１２を構成する室内枠部材２１の室内側面２４近傍まで伸びるように形成されており、先端部は、外周方向に向かって屈曲した屈曲部３４ａとされている。
【００３４】
室内延出部３４は、枠側縦框３２の見付方向内側端部から室内側に延出されているから、その見付方向位置は、縦枠１２のアングル部２５や額縁材６の内周面と略同じであり、アングル部２５や額縁材６の内周面と室内延出部３４は略面一状となる。また、外障子３が配置される側の縦枠１２は、外障子対向フィン１２ａと内周面及び室内側面２４とで、大きな凹部が形成されるが、室内延出部３４によりこの凹部を隠して、サッシ内周面を平面状とすることができ、意匠性を向上させることができる。
【００３５】
外障子３が配置される側の縦枠１２においてブリッジ材２２は、外障子対向フィン１２ａと室内側面２４との間の内周部に配置される。枠側縦框３２の室内延出部３４は、この領域を覆うので、ブリッジ材２２を室内側に露出させないようにすることができ、意匠性を向上させることができる。また、室内延出部３４とアングル部２５や額縁材６の内周面が面一状となるように配置されるので、隠し框の構成を有する本実施形態のサッシにおいて、室内外方向における内周面の連続性を奏し、意匠性の更なる向上を図ることができる。さらには、外障子３から室内側に延出される室内延出部３４により、外障子３の開閉を行いやすくすることもできる。
【００３６】
枠側縦框３２において、室内延出部３４を別体とすることもできる。図６には、室内延出部３４を枠側縦框３２と別体とした場合における枠側縦框３２の断面図を示している。この図に示すように、室内延出部３４は、枠側縦框３２の室内側面に当接して固定される固定面部３４ｂと、固定面部３４ｂから室内側に向かって延出される延出面部３４ｃと、延出面部３４ｃの室内端部に形成される屈曲部３４ａとを有して構成される。外障子３を枠体１に建て込んだ後に、室内延出部３４を取付けるようにすれば、外障子３を枠体１に建て込む際に室内側に大きく延出される室内延出部３４が邪魔にならず、サッシの施工を円滑に行うことができる。
【００３７】
以上、本発明の実施形態について説明したが、本発明の適用は本実施形態には限られず、その技術的思想の範囲内において様々に適用されうるものである。本実施形態では、室内枠部材２１は金属材のみからなるので、室内露出面も金属材からなるが、室内枠部材２１の室内側面２４に樹脂材を配設することにより、意匠性の高いサッシとすることもできる。
【符号の説明】
【００３８】
１    枠体
２    内障子
３    外障子
４    框体
５    パネル体
６    額縁材
１０    上枠
１１    下枠
１２    縦枠
２０    室外枠部材
２１    室内枠部材
２２    ブリッジ材
２３    固定面部
２４    室内側面
２５    アングル部
３０    上框
３１    下框
３２    枠側縦框
３３    召合わせ框
３４    室内延出部
【図１】
0005621122.tif 000002
【図２】
0005621122.tif 000003
【図３】
0005621122.tif 000004
【図４】
0005621122.tif 000005
【図５】
0005621122.tif 000006
【図６】
0005621122.tif 000007